(57)【特許請求の範囲】
【請求項１】
前面が開口した外箱と、
前記外箱の開口を覆う扉と、
前記扉の背面の外周部に設けられた扉ガスケットと、
前記外箱の開口部の左右方向に延びる縁に取り付けられた前桟と、
前記前桟の左右両端部近傍から奥行き方向に延びるように取り付けられた側桁と、
前記扉を回動自在に軸支する軸部を有する扉ヒンジとを備え、
前記扉ヒンジは、前記軸部が前記前桟よりも前方に位置するように前記側桁に取り付けられており、
前記側桁は、前記前桟に設けられた前桟係合部に嵌め合わされて係合する側桁係合部を備え、前記側桁係合部によって前記前桟に対する前後方向の動きが規制されている
ことを特徴とする冷蔵庫。
【請求項２】
前記側桁係合部は、前記側桁の前方に突出する凸部を有し、
前記前桟係合部は、前記凸部が挿入される凹形状を有している
ことを特徴とする請求項１に記載の冷蔵庫。
【請求項３】
前記側桁係合部の前記凸部は、基端部と、前記基端部よりも先端側に設けられ当該基端部よりも幅広の幅広部とを有し、
前記側桁係合部の前記基端部が、前記前桟係合部の前記凹形状に挿入され、前記側桁係合部の前記幅広部が、前記前桟係合部に係合される
ことを特徴とする請求項２に記載の冷蔵庫。
【発明の詳細な説明】
【技術分野】
【０００１】
本発明は、冷蔵庫に関する。
【背景技術】
【０００２】
従来の冷蔵庫部品の仕切板と前桟との位置決め構造としては、仕切板に設けられた凸部と、前桟に設けられた凹部とを係合させることで、仕切板と前桟との間に隙間が形成されないようにして、液状物が庫内下室（仕切板の下方の貯蔵室）へ落下することを抑制したものがある（例えば、特許文献１）。
【先行技術文献】
【特許文献】
【０００３】
【特許文献１】実開平４−６４０８７号公報（第３頁〜第４頁、第２図）
【発明の概要】
【発明が解決しようとする課題】
【０００４】
特許文献１では、前桟と扉との間の位置決めが考慮されていないため、前桟と扉との間の隙間の寸法が安定せず、庫内の冷気が庫外へ漏れることがあった。
【０００５】
本発明は、上述のような課題を解決するためになされたものであり、前桟と扉の間の寸法を安定させ、冷気漏れを抑制することができる冷蔵庫を提供することを目的とする。
【課題を解決するための手段】
【０００６】
本発明に係る冷蔵庫は、前面が開口した外箱と、前記外箱の開口を覆う扉と、前記扉の背面の外周部に設けられた扉ガスケットと、前記外箱の開口部の左右方向に延びる縁に取り付けられた前桟と、前記前桟の左右両端部近傍から奥行き方向に延びるように取り付けられた側桁と、前記扉を回動自在に軸支する軸部を有する扉ヒンジとを備え、前記扉ヒンジは、前記軸部が前記前桟よりも前方に位置するように前記側桁に取り付けられており、前記側桁は、前記前桟に設けられた前桟係合部に嵌め合わされて係合する側桁係合部を備え、前記側桁係合部によって前記前桟に対する前後方向の動きが規制されている。
【発明の効果】
【０００７】
本発明によれば、前桟と側桁とが前後方向に位置決め固定されている。このため、側桁に固定された扉ヒンジにより支持される扉と、前桟との位置関係も安定し、扉と前桟との間の隙間の寸法が安定する。したがって、扉に設けられた扉ガスケットと前桟との間の寸法も安定し、両者の間からの冷気漏れを抑制することができる。
【図面の簡単な説明】
【０００８】
【図１】本発明の実施の形態１に係る冷蔵庫全体の斜視図である。
【図２】本発明の実施の形態１に係る扉、内板、及び断熱材を除いた状態の冷蔵庫の斜視図である。
【図３】本発明の実施の形態１に係る冷蔵庫の前桟と側桁の概略図である。
【図４】本発明の実施の形態１に係る冷蔵庫全体の側面図である。
【図５】図４のＺ−Ｚ断面図である。
【発明を実施するための形態】
【０００９】
実施の形態１．
以下、本発明に係る冷蔵庫の実施の形態１を、図面を参照して説明する。なお、以下に示す図面の形態によって本発明が限定されるものではない。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１０】
図１は、本発明の実施の形態１に係る冷蔵庫５０全体の斜視図である。
図１に示されるように、冷蔵庫５０は扉１と、外箱２とによって構成されている。扉１は冷蔵庫５０の前面を構成している。外箱２は前面が開口し、冷蔵庫５０の天面、右側面、左側面、底面、及び背面を構成している。外箱２は、外板３と、内板（図示せず）と、外板３と内板との間に設けられた断熱材とを有する。外板３は、冷蔵庫５０の天面部、左側面部、右側面部、及び背面部の外郭を構成する。外箱２の開口は扉１により覆われる。扉１は、扉板１ａと、扉板１ａよりも庫内側に設けられた扉内板１ｂ（後述する図４に示されている）と、扉板１ａ及び扉内板１ｂに囲まれた断熱材とによって構成される。扉１の底面には、軸部７ａ（後述する）が挿入される嵌合孔１２（後述する）が設けられている。
【００１１】
図２は、本発明の実施の形態１に係る扉、内板、及び断熱材を除いた状態の冷蔵庫５０の斜視図である。
図２に示されるように、底板４の冷蔵庫前面側には、左右方向に沿って前桟５が設けられている。前桟５は、冷蔵庫５０の外箱２の開口部の左右方向に延びる縁に取り付けられている。底板４の冷蔵庫左側面部及び冷蔵庫右側面部には、前後方向に沿って側桁６が設けられている。側桁６は、前桟５の左右両端部近傍から奥行き方向に延びるように取り付けられている。
【００１２】
図３は、本発明の実施の形態１に係る冷蔵庫５０の前桟５と側桁６の概略図である。
図３（Ａ）は、本発明の実施の形態１に係る冷蔵庫５０の前桟５と側桁６の概略図である。図３（Ｂ）は、本発明の実施の形態１に係る冷蔵庫５０の前桟５の前桟係合部１０と側桁６の凸部９が係合した状態を示す概略図である。図３（Ｃ）は、本発明の実施の形態１に係る冷蔵庫５０の前桟５の前桟係合部１０と側桁６の凸部９が係合していない状態を示す概略図である。
【００１３】
図３（Ａ）に示されるように、前桟５及び側桁６は、断面略Ｌ字状の形状となっている。すなわち、前桟５及び側桁６はそれぞれ、水平部と、この水平部と直交する垂直部とを有している。前桟５は、前桟５を構成する水平部が底板４と固定され、前桟５の垂直部が底板４の前端辺を覆う（図２参照）。前桟５によって底板４の前面が補強される。また、前桟５は、扉１に設けられる扉ガスケット１１（後述する）が当接する部位となる。側桁６は、側桁６を構成する水平部が底板４と固定され、側桁６を構成する垂直部が外板３と固定されている。側桁６によって外板３の側面と底板４とを接合することで、外板３と底板４とが一体化される。このような構成により、外板３の側面と底板４との成す角部が補強され、また、組み立ても容易となっている。
【００１４】
図３（Ｂ）に示されるように、側桁６の前部には、側桁６の下面に固定され、扉１を位置決め保持する扉ヒンジ７が設けられている。扉ヒンジ７は、平板で構成され、側桁６の前後方向に延びる水平部と重ねられ、側桁６の前後方向に沿うように側桁６に取り付けられて固定され、一部は前方に突出している。扉ヒンジ７の前面側端部には、略円柱状に形成されて上方に突出し、扉１の嵌合孔１２に挿入されることで扉１を回動可能に軸支する軸部７ａが設けられている。軸部７ａは、前桟５、及び側桁６の前端６ａよりも前方に位置している。
【００１５】
図３（Ｃ）に示されるように、側桁６の前面側には凸部９が設けられている。また、前桟５の左右背面側には、凸部９が挿入される凹部１０ａが形成された前桟係合部１０が設けられている。凸部９は、前桟５に設けられた前桟係合部１０と係合し、前桟５に対する側桁６の前後方向の動きを規制するものであり、側桁６の前面側端部である前端６ａから冷蔵庫５０の前面側方向に突出している。凸部９は、基端側から順に、基端部９ａ、幅広部９ｂ、先端部９ｃを有している。幅広部９ｂは、基端部９ａに比べて幅広となっており、先端部９ｃは、幅広部９ｂに比べて幅狭となっている。すなわち、凸部９は、基端部９ａが、基端部から先端側に向かって形成され、一旦幅広となって幅広部９ｂが形成され、次第に幅狭となり先端部９ｃが形成されている。前桟係合部１０は、略垂直方向に起立する板状の部材であり、凹部１０ａは、凸部９の基端部９ａの幅と同じかやや大きい幅を有している。前桟係合部１０の厚みは、基端部９ａの前後方向の長さと同じかやや小さい寸法である。凸部９が、凹部１０ａに挿入されて前桟係合部１０に係合することで、側桁６の前後方向の動きが規制され、前桟５と、側桁６とは互いに固定される。凸部９及び前桟係合部１０は、剛性を有する材料で構成される。
【００１６】
図４は、本発明の実施の形態１に係る冷蔵庫５０全体の側面図である。図５は、図４のＺ−Ｚ断面図である。
図５に示されるように、扉１の背面の外周淵部には、扉１を閉じたときに形成される扉１と外箱２との間の隙間をシールする扉ガスケット１１が設けられている。扉１を閉じると、扉ガスケット１１が前桟５と接する。上述したように、扉１の底面には、軸部７ａが挿入される嵌合孔１２が設けられている。
【００１７】
なお、凸部９が、本発明における側桁係合部に相当する。
【００１８】
以下に、冷蔵庫５０の作用について説明する。
側桁６の凸部９が前桟５の前桟係合部１０に係合することで、前桟５と側桁６とが前後方向に位置決め固定される。具体的には、凸部９の基端部９ａが、前桟係合部１０の凹部１０ａに挿入されると、幅広部９ｂが前桟係合部１０の前面に係止される。このように幅広部９ｂが前桟係合部１０の前面に係止されることによって、側桁６の後方向への移動が規制される。また、基端部９ａの前後方向の長さは前桟係合部１０の厚みと同じかやや大きい寸法であるので、基端部９ａの基端である側桁６の前端６ａは、前桟係合部１０の後面に係止される。このように側桁６の前端６ａが前桟係合部１０の後面に係止されることによって、側桁６の前方向への移動が規制される。このため、凸部９が前桟係合部１０に係合したとき、前端６ａと幅広部９ｂとによって、前桟係合部１０の上方に突出した突起部が挟まれる。このように、前桟係合部１０と凸部９とによって、前桟５に対する側桁６の前後方向の動きが規制される。
【００１９】
また、側桁６に固定されている扉ヒンジ７の軸部７ａが扉１の嵌合孔１２に挿入されることで、扉１は回動可能に軸支される。扉１と、外箱２と、扉１の背面の外周淵部に設けられ、扉１及び外箱２の間に形成される隙間を埋める扉ガスケット１１とによって庫内の冷気が庫内に閉じ込められ、冷蔵庫５０の庫内温度は維持される。
【００２０】
以上のように、本実施の形態１に係る冷蔵庫５０によれば、前桟５に設けられた前桟係合部１０に側桁６に設けられた凸部９が係合し、前桟５と側桁６とが前後方向に位置決め固定されている。このため、側桁６に固定された扉ヒンジ７により支持される扉１と、前桟５との位置関係も安定し、扉１と前桟５との間の隙間の寸法が安定する。したがって、扉１に設けられた扉ガスケット１１と前桟５との間の寸法も安定し、両者の間からの冷気漏れを抑制することができる。また、扉１が開閉されることによって扉ヒンジ７を介して前後方向の力が側桁６に加えられても、前桟５と側桁６とが前後方向に容易には動かないように固定されているので、扉１に取付けられた扉ガスケット１１と前桟５との間の隙間の発生も抑制できる。したがって、冷蔵庫５０を長期に亘って使用することが可能となる。また、扉ガスケット１１と前桟５との間の隙間の発生を抑制できるので、冷気を庫外に逃さず、省エネルギーな冷蔵庫を提供することができる。
【００２１】
なお、本実施の形態１では、前桟５に設けられた前桟係合部１０に側桁６に設けられた凸部９が係合する構成としているが、これに限定されない。前桟５に設けられた係合部と、側桁６に設けられた係合部とが係合し、前桟５と側桁６とが前後方向に位置決め固定される構成となっていればよい。
【００２２】
また、本実施の形態１では、底板４の冷蔵庫前面側に前桟５が設けられ、底板４の冷蔵庫左側面側及び冷蔵庫右側面側に側桁６が設けられる構成について説明したが、これに限定されない。冷蔵庫５０の天面板の冷蔵庫前面側に前桟５が設けられ、冷蔵庫５０の天面板の冷蔵庫左側面側及び冷蔵庫右側面側に側桁６が設けられ、側桁６に扉ヒンジ７が固定されるように構成してもよい。また、冷蔵庫５０の天面板及び底面板に前桟５及び側桁６が設けられ、側桁６に扉ヒンジ７が固定されるように構成してもよい。
【００２３】
また、本実施の形態１では、前面が開口した外箱２を１枚の扉１で覆う構成としたが、これに限定されない。例えば、上下に区画された各貯蔵室に対応して扉が設けられた冷蔵庫や、観音開き式の扉が設けられた冷蔵庫にも本発明を適用することができる。
【００２４】
また、本実施の形態１では、外周淵部に扉ガスケット１１が設けられる構成としたが、これに限定されない。例えば、扉１の背面が平らな面である場合には、この平らな面の外周部に扉ガスケット１１が設けられる構成としてもよい。
【符号の説明】
【００２５】
１  扉、１ａ  扉板、１ｂ  扉内板、２  外箱、３  外板、４  底板、５  前桟、６  側桁、６ａ  前端、７  扉ヒンジ、７ａ  軸部、９  凸部、９ａ  基端部、９ｂ  幅広部、９ｃ  先端部、１０  前桟係合部、１０ａ  凹部、１１  扉ガスケット、１２  嵌合孔、５０  冷蔵庫。
【図１】
0005885588.tif 000002
【図２】
0005885588.tif 000003
【図３】
0005885588.tif 000004
【図４】
0005885588.tif 000005
【図５】
0005885588.tif 000006